(57)【要約】      （修正有）【課題】マンコンベアの据付時や保守時のみならず、通常の運転中においても、容易且つ確実にステップの取付状態を確認することができるようにする。【解決手段】ステップ軸６に固定されるステップにおいて、確認孔８ａを有する踏板８と、踏板８を支持するフレームと、ステップ軸６を適切に挟み込んだ状態で締付ボルト１５が正規位置まで締め付けられることにより、フレームをステップ軸６に固定する装着子１４とを備える。そして、踏板８の下方に確認手段を配置することにより、締付ボルト１５が正規位置まで締め付けられた際に確認手段の一部を確認孔８ａに下方から進入させて、上記一部が確認孔８ａ内に配置されるように構成する。【選択図】図３
2011148628.tif 000002
【特許請求の範囲】
【請求項１】
所定のステップ軸に固定されるマンコンベアのステップ装置であって、
上下に貫通する確認孔を有し、上面が踏面を形成する踏板と、
前記踏板を支持するフレームと、
前記フレームに設けられ、前記ステップ軸を適切に挟み込んだ状態で所定の締付ボルトが正規位置まで締め付けられることにより、前記フレームを前記ステップ軸に固定する装着子と、
前記踏板の下方に配置され、前記装着子が前記ステップ軸を適切に挟み込んだ状態で前記締付ボルトが正規位置まで締め付けられることにより、その一部が前記確認孔に下方から進入して、前記一部が前記確認孔内に配置される確認手段と、
を備えたことを特徴とするマンコンベアのステップ装置。
【請求項２】
前記確認手段は、前記装着子が前記ステップ軸を適切に挟み込んだ状態で前記締付ボルトが正規位置まで締め付けられることにより、前記確認孔内に配置された前記一部の上面が、前記踏板の上面に対して面一、或いは、前記踏板の上面から僅かに凹んだ状態に配置されることを特徴とする請求項１に記載のマンコンベアのステップ装置。
【請求項３】
前記確認手段は、前記一部の上面が、前記踏面の上面とは異なる目立つ色によって着色されたことを特徴とする請求項１又は請求項２に記載のマンコンベアのステップ装置。
【請求項４】
前記確認手段は、
前記締付ボルトの先端に対向して配置された対向部と、
前記対向部が前記締付ボルトの先端に押されることによって変位するレバーと、
前記レバーに設けられた確認マーク部と、
を備え、前記装着子が前記ステップ軸を適切に挟み込んだ状態で前記締付ボルトが正規位置まで締め付けられることにより、前記レバーの変位に伴い、前記確認マーク部が前記確認孔内に配置されることを特徴とする請求項１から請求項３の何れかに記載のマンコンベアのステップ装置。
【請求項５】
前記確認手段は、
前記踏板の下面に設けられ、前記確認マーク部の上下動を案内するガイドと、
を更に備えたことを特徴とする請求項４に記載のマンコンベアのステップ装置。
【請求項６】
前記踏板に、前記締付ボルトの締付工具を前記踏板の上方から挿入するための締付工具挿入孔が形成されたことを特徴とする請求項１から請求項５の何れかに記載のマンコンベアのステップ装置。
【発明の詳細な説明】
【技術分野】
【０００１】
この発明は、ステップの取付状態を容易に確認することができるマンコンベアのステップ装置に関するものである。
【背景技術】
【０００２】
エスカレーターや動く歩道等のマンコンベアでは、乗客が移動の際に乗るためのステップが、所定のステップ軸に取り付けられている。
【０００３】
下記特許文献１には、ステップをステップ軸に取り付けるための従来技術が開示されている。具体的に、特許文献１に記載のものでは、ステップに設けられた装着子をステップ軸を挟み込むように配置してボルトで締め付けることにより、ステップの固定を行っている。
【先行技術文献】
【特許文献】
【０００４】
【特許文献１】特開平７−３３０２６６号公報
【発明の概要】
【発明が解決しようとする課題】
【０００５】
マンコンベアの据付時や保守時等にステップをステップ軸に取り付けた場合、作業員は、装着子が適切にステップ軸を挟み込んでいるか、或いは、装着子を締結するためのボルトが確実に取り付けられているかといった取付状態を目視にて確認しなければならない。しかし、特許文献１に記載のものを含め、従来のマンコンベアでは、ステップの取付状態をステップ上から確認することができず、作業員は、１つのステップの取付作業が終了すると、そのステップを前或いは後ろから覗き込んで取付状態を確認するといった作業を繰り返し行っていた。
【０００６】
しかし、このような確認方法では、ステップ軸に最後に取り付けるステップ（以下、「最終取付ステップ」という）の取付状態を確認することが困難になってしまう。即ち、最終取付ステップをステップ軸に取り付けると、各ステップが前後に連続して配置され、ステップ間に取付状態を確認するための空間がなくなってしまう。このため、作業員は、最終取付ステップの取り付けが終了すると、マンコンベアの機械室内からステップ間の極僅かな隙間を見つけてその取付状態を確認しなければならなかった。その結果、機械室の蓋の開閉や機械室の出入りに手間と時間とが必要になって作業効率が大幅に低下したり、作業員が機械室内の機器類に接触したりすることがあった。
【０００７】
更に、従来のマンコンベアの構成では、専門技術者である作業員以外の者、例えば、マンコンベアの管理者等が日常の運行管理においてステップの取付状態を確認することができなかった。このため、ステップの取り付けに不備があり、運転中の負荷によって上記ボルトや装着子が破損してしまった場合には、マンコンベアの運転を長時間停止させなければならず、利用者に多大な迷惑を掛けることとなっていた。
【０００８】
この発明は、上述のような課題を解決するためになされたもので、その目的は、マンコンベアの据付時や保守時のみならず、通常の運転中においても、容易且つ確実にステップの取付状態を確認することができるマンコンベアのステップ装置を提供することである。
【課題を解決するための手段】
【０００９】
この発明に係るマンコンベアのステップ装置は、所定のステップ軸に固定されるマンコンベアのステップ装置であって、上下に貫通する確認孔を有し、上面が踏面を形成する踏板と、踏板を支持するフレームと、フレームに設けられ、ステップ軸を適切に挟み込んだ状態で所定の締付ボルトが正規位置まで締め付けられることにより、フレームをステップ軸に固定する装着子と、踏板の下方に配置され、装着子がステップ軸を適切に挟み込んだ状態で締付ボルトが正規位置まで締め付けられることにより、その一部が確認孔に下方から進入して、一部が確認孔内に配置される確認手段と、を備えたものである。
【発明の効果】
【００１０】
この発明に係るマンコンベアのステップ装置であれば、マンコンベアの据付時や保守時のみならず、通常の運転中においても、容易且つ確実にステップの取付状態を確認することができるようになる。
【図面の簡単な説明】
【００１１】
【図１】マンコンベアの全体構成を示す側面図である。
【図２】この発明の実施の形態１におけるマンコンベアのステップ装置を示す側面図である。
【図３】図２に示すステップ装置の要部側面図である。
【図４】図２に示すステップ装置の要部詳細図である。
【図５】図２に示すステップ装置の要部平面図である。
【図６】図２に示す踏板の平面図である。
【発明を実施するための形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はマンコンベアの全体構成を示す側面図である。なお、以下においては、マンコンベアの一例として上下階床間の移動の際に利用されるエスカレーターについて具体的に説明し、動く歩道等の他の例については、その説明を省略する。
【００１４】
図１において、１は上下階床間に架け渡されたエスカレーターの主枠、２はエスカレーターの利用者が上下階床間を移動する際に乗るステップ、３はステップ２と同期するように駆動される移動手摺、４はガラスパネル等からなる内側板（欄干）、５はステップ２や移動手摺３を駆動するための駆動電動機である。
【００１５】
各ステップ２は、所定のステップ軸６（図１においては図示せず）に固定されている。そして、各ステップ軸６が無端状のステップチェーン７に等間隔に連結されることにより、上記ステップ２は駆動電動機５の駆動力によって駆動され、両乗降口間を循環移動する。
【００１６】
以下に、図２乃至図６も参照し、上記ステップ２の構成について具体的に説明する。図２はこの発明の実施の形態１におけるマンコンベアのステップ装置を示す側面図、図３は図２に示すステップ装置の要部側面図、図４は図２に示すステップ装置の要部詳細図、図５は図２に示すステップ装置の要部平面図、図６は図２に示す踏板の平面図である。
【００１７】
各ステップ２は、上面が乗客の踏面を形成する踏板８と、階段の蹴上げ部分に相当するライザ９と、踏板８やライザ９等、ステップ２の全体を支持するフレーム１０と、後輪１１と、ステップ２をステップ軸６に固定するための装着手段１２と、ステップ２の取付状態をステップ２上から間接的に確認するための確認手段１３とにより、その要部が構成される。
【００１８】
踏板８には、後述する確認孔８ａ及び締付工具挿入孔８ｂが形成されている。確認孔８ａ及び締付工具挿入孔８ｂは、踏板８を上下に貫通し、踏板８の両端部にそれぞれ形成されている。
なお、ライザ９、フレーム１０、後輪１１の各構成は従来と同様であるため、その説明は省略する。
【００１９】
装着手段１２は、フレーム１０に設けられた装着子１４と、締付ボルト１５とを備えている。装着子１４は、二つの円弧状部材からなり、その一方がピン１６を介して固定されることにより、開閉自在に構成されている。
【００２０】
締付ボルト１５は、装着子１４の二つの円弧状部材を締め付け、ステップ軸６を装着子１４によって挟持するためのものである。即ち、装着子１４は、ステップ軸６を適切に挟み込んだ状態で締付ボルト１５が所定の正規位置まで締め付けられることにより、フレーム１０（即ち、ステップ２）をステップ軸６に適切な状態で固定する。
【００２１】
なお、上記締付工具挿入孔８ｂは、例えば、締付レンチ等、上記締付ボルト１５を締め付けるための工具を踏板８の上方から挿入するためのものである。即ち、締付工具挿入孔８ｂは、作業員が締付ボルト１５の締付作業を踏板８の上方から行うために形成されている。
【００２２】
確認手段１３は、装着子１４によってフレーム１０がステップ軸６に適切な状態で固定された時（装着子１４がステップ軸６を適切に挟み込んだ状態で上記締付ボルト１５が正規位置まで締め付けられた時）に、その一部が踏板８の確認孔８ａに下方から進入して、確認孔８ａ内に配置される所定の構成を有している。
【００２３】
具体的に、確認手段１３は、踏板８の下方に配置されており、対向アーム（対向部）１７、第１レバー１８、第２レバー１９、確認マーク部２０、ガイド２１によりその要部が構成されている。
対向アーム１７は、第１レバー１８の一端部に設けられている。そして、対向アーム１７は、その一部が締付ボルト１５の先端に対向するとともに、締付ボルト１５が上記正規位置に達する前の所定位置まで締め付けられた際に、上記対向部分が締付ボルト１５の先端に接触するように配置されている。
【００２４】
第１レバー１８は、上記の通り、一端部に対向アーム１７が設けられている。また、第１レバー１８は、その中間部が、支持部材２２を介して装着子１４或いはフレーム１０に回動自在に設けられている。したがって、第１レバー１８は、対向アーム１７が締付ボルト１５の先端に押されることによって変位し、締付ボルト１５の締付状態に応じてその角度が変化する。
【００２５】
第２レバー１９は、第１レバー１８の他端部に一体的に設けられ、第１レバー１８の他端部から上方に伸びるように配置されている。このため、第２レバー１９は、第１レバー１８に連動し、第１レバー１８が変位することによって上下に移動する。
【００２６】
確認マーク部２０は、第２レバー１９の上端部に設けられており、確認孔８ａの直下に配置されている。なお、第２レバー１９が上下に移動することにより、その上端部に設けられた確認マーク部２０も上下に変位する。ガイド２１は、確認マーク部２０のこの上下動を案内するためのものであり、例えば、踏板８の下面に設けられている。
【００２７】
この確認マーク部２０は、踏板８の下面との間に設けられたバネ２３により、常時下方（踏板８から遠ざかる方向）に付勢されている。このため、確認マーク部２０は、締付ボルト１５が対向アーム１７に接触していなければ、バネ２３の付勢力によって踏板８の下方に押し戻され、確認孔８ａに下方から対向する位置に配置される。そして、かかる状態から、締付ボルト１５を装着子１４の締結部分に締め付けると、対向アーム１７が締結ボルト１５の先端に押されて第１レバー１８及び第２レバー１９が変位し、確認マーク部２０がガイド２１に案内されて上方に移動する。
【００２８】
確認マーク部２０は、締付ボルト１５が所定の位置まで締め付けられると、その上端部が確認孔８ａに下方から進入して確認孔８ａ内に配置される。そして、締付ボルト１５が更に締め付けられて上記正規位置に達すると、確認マーク部２０の上面が踏板８の上面に対して略面一に配置される。
【００２９】
なお、締付ボルト１５が正規位置まで締め付けられた際に確認マーク部２０の上端部が踏板８の上面から突出することを確実に防止するため、締付ボルト１５が正規位置に達した際に確認マーク部２０の上面が、踏板８の上面から僅かに凹んだ状態に配置されるように構成しても良い。また、確認マーク部２０の上面位置が踏板８の上方から容易に把握できるように、確認マーク部２０の上面を、踏板８の上面とは異なる目立つ色によって着色しても良い。反対に、確認マーク部２０の上面を踏板８の上面と同じ色にして、確認マーク部２０を目立たなくするように構成しても良い。
【００３０】
この発明の実施の形態１によれば、エスカレーターの据付時や保守時に、作業員は、ステップ２の取付状態をステップ２の上方から容易に且つ確実に確認することができる。特に、最終取付ステップの取付状態を確認するために従来のように機械室の蓋の開閉等を行う必要もなく、作業効率を大幅に向上させることができる。
【００３１】
また、取付状態の確認をステップ２の上方から行うことができるため、専門技術者である作業員以外の者、例えば、エスカレーターの管理者等であっても、日常の運行管理においてステップ２の取付状態を確認することができる。更に、確認マーク部２０の上面を、踏板８の上面とは異なる目立つ色によって着色しておけば、エスカレーターの運転中であっても上記確認作業を行うことができ、ステップ２の取付状態を確認するためにエスカレーターを停止させる必要もない。
そして、ステップ２の取付状態に不備を発見した場合は、即座に保守会社等に連絡することにより、被害の拡大も確実に防止できる。
【符号の説明】
【００３２】
１  主枠
２  ステップ
３  移動手摺
４  内側板
５  駆動電動機
６  ステップ軸
７  ステップチェーン
８  踏板
８ａ  確認孔
８ｂ  締付工具挿入孔
９  ライザ
１０  フレーム
１１  後輪
１２  装着手段
１３  確認手段
１４  装着子
１５  締付ボルト
１６  ピン
１７  対向アーム
１８  第１レバー
１９  第２レバー
２０  確認マーク部
２１  ガイド
２２  支持部材
２３  バネ
【図１】
2011148628.tif 000003
【図２】
2011148628.tif 000004
【図３】
2011148628.tif 000005
【図４】
2011148628.tif 000006
【図５】
2011148628.tif 000007
【図６】
2011148628.tif 000008